(57)【要約】【課題】連通孔の開口端部への端子の突き当たりを防止することができるコネクタを提供する。【解決手段】ハウジング３と、このハウジング３の長さ方向に沿って設けられ端子５が収容される複数の端子収容孔７と、ハウジング３の高さ方向に沿って設けられ連通孔９を介して端子収容孔７に連通され端子５を係止するスペーサ１１が挿入されるスペーサ挿入孔１３とを備えたコネクタ１において、連通孔９の開口の端子５の挿入方向上流端側に、端子５を端子収容孔７に挿入したときに端子５を連通孔９の開口の端子５の挿入方向下流端側の上面側に導く案内突起１５を突設した。【選択図】図４
2014022308.tif 000002
【特許請求の範囲】
【請求項１】
ハウジングと、このハウジングの長さ方向に沿って設けられ端子が収容される複数の端子収容孔と、前記ハウジングの高さ方向に沿って設けられ連通孔を介して前記端子収容孔に連通され前記端子を係止するスペーサが挿入されるスペーサ挿入孔とを備えたコネクタであって、
前記連通孔の開口の前記端子の挿入方向上流端側には、前記端子を前記端子収容孔に挿入したときに前記端子を前記連通孔の開口の前記端子の挿入方向下流端側の上面側に導く案内突起が突設されていることを特徴とするコネクタ。
【請求項２】
請求項１記載のコネクタであって、
前記案内突起の前記端子の挿入方向上流側には、上り傾斜となる傾斜面が設けられていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングの長さ方向に沿って設けられ端子が収容される複数の端子収容孔としてのキャビティと、ハウジングの高さ方向に沿って設けられ連通孔を介してキャビティに連通され端子を係止するスペーサとしてのリテーナが挿入されるスペーサ挿入孔としてのリテーナ収容室とを備えたものが知られている（例えば、特許文献１参照）。
【０００３】
このコネクタでは、キャビティ内に端子を係止するランスが設けられ、ランスとリテーナとで端子を２重係止することにより、キャビティからの端子の抜けを確実に防止している。
【先行技術文献】
【特許文献】
【０００４】
【特許文献１】特開２００３−７３８９号公報
【発明の概要】
【発明が解決しようとする課題】
【０００５】
ところで、上記特許文献１のようなコネクタでは、端子を端子収容孔に挿入する前の状態で、端子を係止するスペーサがスペーサ端子挿入孔内に仮係止位置で挿入されている。このスペーサの仮係止位置では、端子収容孔とスペーサ収容孔とを連通する連通孔の開口が端子収容孔の下面で凹部となることがある。
【０００６】
しかしながら、端子収容孔内で連通孔の開口が凹部となってしまうと、端子収容孔に端子を斜めに挿入したとき、連通孔の開口の端子の挿入方向下流端に端子が突き当たり、端子や連通孔が損傷してしまう恐れがあった。
【０００７】
そこで、この発明は、連通孔の開口端部への端子の突き当たりを防止することができるコネクタの提供を目的としている。
【課題を解決するための手段】
【０００８】
請求項１記載の発明は、ハウジングと、このハウジングの長さ方向に沿って設けられ端子が収容される複数の端子収容孔と、前記ハウジングの高さ方向に沿って設けられ連通孔を介して前記端子収容孔に連通され前記端子を係止するスペーサが挿入されるスペーサ挿入孔とを備えたコネクタであって、前記連通孔の開口の前記端子の挿入方向上流端側には、前記端子を前記端子収容孔に挿入したときに前記端子を前記連通孔の開口の前記端子の挿入方向下流端側の上面側に導く案内突起が突設されていることを特徴とする。
【０００９】
このコネクタでは、連通孔の開口の端子の挿入方向上流端側に、端子を端子収容孔に挿入したときに端子を連通孔の開口の端子の挿入方向下流端側の上面側に導く案内突起が突設されているので、端子収容孔に端子が斜めに挿入されても、案内突起によって端子を連通孔の開口の端子の挿入方向下流端側の上面側に導くことができる。
【００１０】
従って、このようなコネクタでは、連通孔の開口の端子の挿入方向上流端側に設けられた案内突起によって、連通孔の開口端部への端子の突き当たりを防止することができる。
【００１１】
請求項２記載の発明は、請求項１記載のコネクタであって、前記案内突起の前記端子の挿入方向上流側には、上り傾斜となる傾斜面が設けられていることを特徴とする。
【００１２】
このコネクタでは、案内突起の端子の挿入方向上流側に、上り傾斜となる傾斜面が設けられているので、端子収容孔に挿入された端子を傾斜面によって案内突起の頂部に導くことができ、安定して端子を連通孔の開口の端子の挿入方向下流端側の上面側に導くことができる。
【発明の効果】
【００１３】
本発明によれば、連通孔の開口端部への端子の突き当たりを防止することができるコネクタを提供することができるという効果を奏する。
【図面の簡単な説明】
【００１４】
【図１】本発明の実施の形態に係るコネクタの正面図である。
【図２】図１のX−X断面図である。
【図３】本発明の実施の形態に係るコネクタのスペーサの正面図である。
【図４】本発明の実施の形態に係るコネクタの要部拡大図である。
【発明を実施するための形態】
【００１５】
図１〜図４を用いて本発明の実施の形態に係るコネクタについて説明する。
【００１６】
本実施の形態に係るコネクタ１は、ハウジング３と、このハウジング３の長さ方向に沿って設けられ端子５が収容される複数の端子収容孔７と、ハウジング３の高さ方向に沿って設けられ連通孔９を介して端子収容孔７に連通され端子５を係止するスペーサ１１が挿入されるスペーサ挿入孔１３とを備えている。
【００１７】
そして、連通孔９の開口の端子５の挿入方向上流端側には、端子５を端子収容孔７に挿入したときに端子５を連通孔９の開口の端子５の挿入方向下流端側の上面側に導く案内突起１５が突設されている。
【００１８】
また、案内突起１５の端子５の挿入方向上流側には、上り傾斜となる傾斜面１７が設けられている。
【００１９】
図１〜図４に示すように、ハウジング３は、合成樹脂などの絶縁性材料からなり、直方体状に形成されている。このハウジング３には、長さ方向に沿って複数の端子収容孔７が設けられている。
【００２０】
複数の端子収容孔７は、大小２種類の形状を有しており、それぞれが高さ方向に２段重ねられ、幅方向に複数列配置されている。この端子収容孔７は、ハウジング３の長さ方向の一端側が開口され、この開口から端子５が収容される。
【００２１】
端子５は、金属などの導電性材料からなり、箱状の接続部を有する雌型端子となっている。この端子５は、端子収容孔７の開口側から端子収容孔７内に収容され、端子収容孔７内に撓み可能に設けられた係止アーム１９が第１係止部２１に係合されることによって係止されると共に、スペーサ挿入孔１３に挿入されるスペーサ１１が第２係止部２３に係合されることによって２重係止される。
【００２２】
スペーサ挿入孔１３は、ハウジング３の高さ方向に沿って設けられ、連通孔９を介して端子収容孔７に連通されている。また、連通孔９は、ハウジング３の幅方向に沿って複数の端子収容孔７の下面で連通されている。このスペーサ挿入孔１３には、ハウジング３の下側に設けられた開口からスペーサ１１が挿入される。
【００２３】
スペーサ１１は、合成樹脂などの絶縁性材料からなり、大小２種類の形状を有し、端子５が挿通される複数の格子部２５，２７が設けられている。また、複数の格子部２５，２７の上下には、スペーサ１１が本係止位置に配置されたときに、端子５の第２係止部２３に係合される上係合部２５ａ，２７ａと下係合部２５ｂ，２７ｂとが設けられている。
【００２４】
このスペーサ１１は、端子５が端子収容孔７に収容される前の状態で、スペーサ挿入孔１３に挿入されて仮係止位置で保持される。このスペーサ１１の仮係止位置で、端子５が端子収容孔７に収容され、スペーサ１１をスペーサ挿入孔１３に完全に挿入した本係止位置に移動させることにより、係止アーム１９とスペーサ１１とで端子５を２重係止することができる。
【００２５】
このようなスペーサ１１の仮係止位置では、上係合部２５ａ，２７ａ（或いは下係合部２５ｂ，２７ｂ）がスペーサ挿入孔１３内に完全に挿入されておらず、連通孔９の開口が端子収容孔７の下面で凹部となっている。このような凹部は、端子収容孔７に端子５を斜めに挿入したとき、連通孔９の開口の端子５の挿入方向下流端に端子５が突き当たることがある。そこで、連通孔９の開口の端子５の挿入方向上流端側には、案内突起１５が設けられている。
【００２６】
案内突起１５は、連通孔９の開口の端子５の挿入方向上流端側に突設され、その突出高さが連通孔９の開口の端子５の挿入方向下流端側と略同等、或いは僅かに高く設定されている。
【００２７】
この案内突起１５は、端子５が端子収容孔７に挿入されたとき、端子５を連通孔９の開口の端子５の挿入方向下流端側の上面側に導く。このため、端子収容孔７に端子５が斜めに挿入されたとしても、案内突起１５によって端子５の傾きが規制され、端子５が連通孔９の開口の端子５の挿入方向下流端に突き当たることを防止することができる。
【００２８】
このような案内突起１５の端子５の挿入方向上流側には、上り傾斜となる傾斜面１７が設けられている。この傾斜面１７は、端子５が端子収容孔７に挿入されたとき、端子５を案内突起１５の頂部側に導く。このため、端子収容孔７に端子５が斜めに挿入されたとしても、傾斜面１７によって端子５が案内突起１５の頂部側に導かれることにより、端子５の傾きを補正することができる。
【００２９】
このようなコネクタ１では、連通孔９の開口の端子５の挿入方向上流端側に、端子５を端子収容孔７に挿入したときに端子５を連通孔９の開口の端子５の挿入方向下流端側の上面側に導く案内突起１５が突設されているので、端子収容孔７に端子５が斜めに挿入されても、案内突起１５によって端子５を連通孔９の開口の端子５の挿入方向下流端側の上面側に導くことができる。
【００３０】
従って、このようなコネクタ１では、連通孔９の開口の端子５の挿入方向上流端側に設けられた案内突起１５によって、連通孔９の開口端部への端子５の突き当たりを防止することができる。
【００３１】
また、案内突起１５の端子５の挿入方向上流側には、上り傾斜となる傾斜面１７が設けられているので、端子収容孔７に挿入された端子５を傾斜面１７によって案内突起１５の頂部に導くことができ、安定して端子５を連通孔９の開口の端子５の挿入方向下流端側の上面側に導くことができる。
【００３２】
なお、本発明の実施の形態に係るコネクタでは、案内突起の端子の挿入方向上流側に、上り傾斜となる傾斜面が設けられた三角形状となっているが、これに限らず、案内突起を半円形状とする、或いは傾斜面をＲ形状とするなど、案内突起や傾斜面の形状はどのような形状であってもよい。
【符号の説明】
【００３３】
１…コネクタ
３…ハウジング
５…端子
７…端子収容孔
９…連通孔
１１…スペーサ
１３…スペーサ挿入孔
１５…案内突起
１７…傾斜面
【図１】
2014022308.tif 000003
【図２】
2014022308.tif 000004
【図３】
2014022308.tif 000005
【図４】
2014022308.tif 000006